【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
オブジェクトを含む画像を操作面上に表示させる表示制御手段と、
ユーザの入力によって指定されている前記画像内の位置を認識する認識手段と、
前記認識手段が認識した位置に、前記オブジェクトが表示されている場合に、前記位置が指定され続ける継続時間の長さに応じて、前記オブジェクトに対する異なる編集操作を受け付ける受付手段とを備え、
前記受付手段は、前記異なる編集操作として、少なくとも前記オブジェクトをコピーするコピー操作、あるいは前記オブジェクトを前記画像内からカットするカット操作とを区別して受け付けることを特徴とする情報処理装置。
【請求項２】
前記コピー操作とは、前記指定されたオブジェクトの情報を記憶領域に格納することを前記情報処理装置に指示する操作であって、
前記カット操作とは、前記指定されたオブジェクトの情報を記憶領域に格納し、かつ、前記オブジェクトを前記画像内から削除することを前記情報処理装置に指示する操作であって、
前記表示制御手段は、前記受付手段が前記カット操作を受け付けた事に応じて、前記操作面上に表示させている前記画像内から前記オブジェクトを削除することを特徴とする請求項１に記載の情報処理装置。
【請求項３】
前記受付手段は、前記継続時間が第１の閾値より長い場合に、前記コピー操作を受け付け、前記継続時間が前記第１の閾値より長い第２の閾値よりも長い場合に、前記カット操作を受け付けることを特徴とする請求項１又は２に記載の情報処理装置。
【請求項４】
前記受付手段は、前記認識手段が前記画像内の位置が前記ユーザの入力によって指定され続ける継続時間が前記第１の閾値より短い場合、前記コピー操作によってコピーされたオブジェクト、あるいは前記カット操作によってカットされたオブジェクトを、前記認識手段が認識した位置にペーストするペースト操作を受け付けることを特徴とする請求項３に記載の情報処理装置。
【請求項５】
前記認識手段は、前記ユーザの指によってタッチされている前記画像内の位置を認識し、
前記ユーザが複数の指のうちの何れを前記タッチに用いたかを識別する識別手段と、
前記認識手段が認識した前記タッチされている位置に、前記オブジェクトが表示されている場合に、前記タッチされている位置に表示されているオブジェクトの情報を、前記識別手段が識別した指と関連付けて記憶領域に保持する保持手段と、
をさらに備えることを特徴とする請求項１乃至４のいずれか１項に記載の情報処理装置。
【請求項６】
投影手段を制御して、前記保持手段が保持した情報に基づいて、前記識別手段が識別した前記ユーザの指の上に、該指に関連付けられたオブジェクトを投影させる投影制御手段を更に備えることを特徴とする請求項５に記載の情報処理装置。  
【請求項７】
前記ユーザが少なくとも１本の指を折り曲げた場合に、前記識別手段は、前記折り曲げられた少なくとも１本の指を識別し、
前記投影制御手段は、前記保持手段が保持した情報に基づいて、前記ユーザの手の甲の上に、前記識別された少なくとも１本の指の上に関連付けられたオブジェクトを、前記オブジェクトを前記ユーザの指の上に投影させる場合よりも大きく投影させることを特徴とする請求項６に記載の情報処理装置。
【請求項８】
前記投影制御手段は、前記ユーザが折り曲げた指が１本である場合には、該指に関連付けられたオブジェクトを、前記ユーザの手の甲の中央に投影させ、
前記ユーザが折り曲げた指が複数である場合には、該複数の指に関連付けられたオブジェクトを、前記折り曲げられた複数の指の位置関係に基づいて、前記ユーザの手の甲の上において前記複数の指のそれぞれに対応する位置に投影させることを特徴とする請求項６又は７に記載の情報処理装置。
【請求項９】
前記投影制御手段は、前記ユーザが片手の全ての指を密着させた場合には、前記保持手段が保持した情報に基づいて、前記手の上に、前記手の各指に関連付けられたオブジェクトを全て投影させることを特徴とする請求項６又は７に記載の情報処理装置。
【請求項１０】
ユーザが行う操作を認識する認識手段と、
前記ユーザが複数の指のうちの何れを前記操作に用いたかを識別する識別手段と、
前記認識手段によって、前記ユーザが、操作面上のオブジェクトの中の特定のオブジェクトを指で指定する操作が認識された場合に、
前記指定されたオブジェクトの情報を、前記識別手段が識別した指と関連付けて保持する保持手段と、
投影手段を制御して、前記保持手段が保持した情報に基づいて、前記識別手段が識別した前記ユーザの指の上に、該指に関連付けられたオブジェクトを投影させる制御手段と、
を備えることを特徴とする情報処理装置。
【請求項１１】
前記認識手段は、ユーザが前記特定のオブジェクトを指で第１の閾値以上の間タッチする操作を、前記オブジェクトを指定する操作として認識することを特徴とする請求項１０に記載の情報処理装置。
【請求項１２】
前記操作面上のオブジェクトは、表示手段によって前記操作面上に表示された電子データに含まれるオブジェクトであって、
前記認識手段によってユーザの指が前記特定のオブジェクトを第２の閾値以上の間タッチする操作が認識された場合、
前記制御手段は、前記表示手段を制御して、前記操作面上から、前記特定のオブジェクトを削除させることを特徴とする請求項１０又は１１に記載の情報処理装置。
【請求項１３】
前記認識手段によって、前記ユーザが前記電子データ中の特定の位置を指定する操作が認識された場合に、
前記制御手段は、前記表示手段を制御して、前記保持手段が保持した情報に基づいて、前記識別された指がタッチした位置に、前記識別された指に関連付けられたオブジェクトを表示させることを特徴とする請求項１２に記載の情報処理装置。
【請求項１４】
前記認識手段は、ユーザが特定の指で前記電子データの一部を第１の閾値より短い間だけタッチし続ける操作を、前記電子データ中の特定の位置を指定する操作として認識することを特徴とする請求項１３に記載の情報処理装置。
【請求項１５】
前記表示手段は、投影手段を有し、前記操作面上に投影することによって、前記オブジェクトを含む電子データを表示することを特徴とする請求項１２乃至１４のいずれか１項に記載の情報処理装置。
【請求項１６】
前記ユーザの指が前記電子データの一部をタッチし続ける継続時間の長さに応じて、前記電子データに対する異なる編集操作を受け付ける受付手段を更に備えることを特徴とする請求項１２乃至１５のいずれか１項に記載の情報処理装置。
【請求項１７】
コンピュータに読み込ませ実行させることで、前記コンピュータを請求項１乃至１６のいずれか１項に記載された情報処理装置として動作させるためのプログラム。
【請求項１８】
請求項１７に記載のプログラムを記憶したコンピュータが読み取り可能な記憶媒体。
【請求項１９】
表示制御手段により、オブジェクトを含む画像を操作面上に表示させる表示制御工程と、
認識手段により、ユーザの入力によって指定されている前記画像内の位置を認識する認識工程と、
受付手段により、前記認識工程において認識した位置に、前記オブジェクトが表示されている場合に、前記位置が指定され続ける継続時間の長さに応じて、前記オブジェクトに対する異なる編集操作を受け付ける受付工程とを備え、
前記受付工程では、前記異なる編集操作として、少なくとも前記オブジェクトをコピーするコピー操作、あるいは前記オブジェクトを前記画像内からカットするカット操作とを区別して受け付けることを特徴とする情報処理装置の制御方法。
【請求項２０】
認識手段により、ユーザが行う操作を認識する認識工程と、
識別手段により、前記ユーザが複数の指のうちの何れを前記操作に用いたかを識別する識別工程と、
前記認識工程において、前記ユーザが操作面上のオブジェクトの中から特定のオブジェクトを指で指定する操作が認識された場合に、
保持手段により、前記指定されたオブジェクトの情報を、前記識別工程において識別した指と関連付けて保持する保持工程と、
制御手段により、投影手段を制御して、前記保持手段が保持した情報に基づいて、前記識別手段が識別した前記ユーザの指の上に、該指に関連付けられたオブジェクトを投影させる制御工程と、
を有することを特徴とする情報処理装置の制御方法。